(57)【要約】      （修正有）【課題】移乗の安全性を確保しつつ、装置が大がかりとなることなく比較的コンパクトに構成でき、車いす自体を移動させることなく、倒した背もたれシートの伸長方向の先と異なる位置へも移乗先を調整できる介護用車椅子を提供する。【解決手段】座面ユニット３が第二位置にスライド移動したときに、嵌め板の上面の着座部が、嵌め板ないし後倒した背もたれ１２の上面と平行な面内で回転する回転座面からなり、かつ、嵌め板の後辺又は側辺に立設した回倒板（第二背もたれ又はサイドパネル）は、内面が、開き状態の後倒した背もたれ１２の上面と略平行になるまで外方へ回倒可能に取り付けられる。台板１１上に着座していた着座者が、座面ユニット３のスライド移動と共に後方へ移動し、回倒した回倒板の内面上で回転して向きを変え、さらに、回倒した回倒板の内面上からその回倒先の方向へ移動し得る。【選択図】図１８
0003219055.tif 000002
【実用新案登録請求の範囲】
【請求項１】
略水平に位相回転可能に支持された台板と、台板の後辺に立設しかつ後倒可能に設けられた背もたれと、台板を支持する走行可能な走行支持体を有する移動式の椅子台ユニットと、
台板の板面上部に嵌め込まれると共に、台板及び後倒させた背もたれの前後方向にスライド移動可能な嵌め板と、嵌め板の後辺又は側辺に立設しかつ外方へ回倒可能に設けられた回倒板とを具備した座面ユニットと、を具備してなる介護用椅子であって、
椅子台ユニットの後倒した背もたれの上面が、台板の板面と略水平になるまで後倒した開き状態となったときに、
座面ユニットが、椅子台ユニットの台板上の第一位置と、開き状態の背もたれ上の第二位置との間を、前後方向へスライド移動可能であり、
また、座面ユニットが第二位置にスライド移動したときに、
嵌め板の上面の着座部が、嵌め板ないし後倒した背もたれの上面と平行な面内で回転可能であり、かつ、
嵌め板の後辺又は側辺に立設した回倒板の内面が、開き状態の後倒した背もたれの上面と略平行になるまで外方へ回倒可能であり、
台板上に着座していた着座者が、座面ユニットのスライド移動と共に後方へ移動し、回倒した回倒板の内面上で回転して向きを変え、さらに、回倒した回倒板の内面上からその回倒先の方向へ移動し得ることを特徴とする、介護用椅子。
【請求項２】
略水平に位相回転可能に支持された台板と、台板の後辺に後倒可能に設けられた背もたれと、台板を支持する走行可能な走行支持体を有する移動式の椅子台ユニットと、
台板の板面上部に嵌め込まれると共に、台板及び後倒させた背もたれの前後方向にスライド移動可能な嵌め板と、嵌め板の後辺に後倒可能に設けられた第二背もたれとを具備した座面ユニットと、を具備した介護用椅子であって、
椅子台ユニットの背もたれが、台板の板面に対して所定の開き角度まで後倒した開き状態となったときに、
座面ユニットが、椅子台ユニットの台板上の第一位置と、開き状態の背もたれ上の第二位置との間を、前後方向へスライド移動可能であり、
また、
座面ユニットが第二位置にスライド移動したときに、
嵌め板が、開き状態の背もたれ上で嵌め込まれたまま水平面内で回転可能であると共に、
座面ユニットの第二背もたれが、前記回転した嵌め板の後辺から後倒可能であることを特徴とする、介護用椅子。
【請求項３】
略水平に位相回転可能に支持された台板と、台板の後辺に後倒可能に設けられた背もたれと、台板を支持する走行可能な走行支持体を有する移動式の椅子台ユニットと、
台板の板面上部に嵌め込まれると共に台板及び後倒させた背もたれの前後方向にスライド移動可能な嵌め板と、嵌め板の側辺に立設して外側方へ回倒可能なサイドパネルとを具備した座面ユニットと、
背もたれの両側部それぞれから前方へ伸長し、前記立設したサイドパネルに係止すると共に上方へ跳ね上げ可能に設けられた左右一対の肘置きと、
を具備した介護用椅子であって、
肘置きがサイドパネルとの係止を解除されて上方へ跳ね上げられることで、椅子台ユニットの背もたれが、台板の板面に対して所定の開き角度まで後倒した開き状態に偏移可能であり、
椅子台ユニットの背もたれが、台板の板面に対して所定の開き角度まで後倒した開き状態となったときに、
座面ユニットが、椅子台ユニットの台板上の第一位置と、開き状態の背もたれ上の第二位置との間を、前後方向へスライド移動可能であり、
また、
座面ユニットが第二位置にスライド移動したときに、
嵌め板が、開き状態の背もたれ上で嵌め込まれたまま水平面内で回転可能であると共に、
座面ユニットの第二背もたれが、前記回転した嵌め板の後辺から後倒可能である、請求項１又は２に記載の介護用椅子。
【請求項４】
嵌め板はその下部の中央部に柱状の首部を有した第一嵌合凸片が突設形成され、
椅子台ユニットの台板及び背もたれには、前記第一嵌合凸片の首部が嵌合すると共に首部をスライド移動可能とする嵌合溝が前後方向へ伸長して形成され、
背もたれが後倒した状態で、前記台板及び背もたれの嵌合溝は直線状に連なり、
当該嵌合溝内を第一嵌合凸片が嵌合したまま前後方向へ移動可能であると共に、
後倒した背もたれの嵌合溝の後端付近で第一嵌合凸片が係止してそれ以上の後方移動が規制され、この規制された位置で嵌合凸片の首部が嵌合溝内で軸回転可能であり、この軸回転に伴って嵌め板が平面回転する、請求項１記載の介護用椅子。
【請求項５】
嵌め板はその下部に、前記第一嵌合凸片の首部よりも細い柱状の首部を有した第二嵌合凸片が突設形成され、
椅子台ユニットの台板及び背もたれには、前記第一嵌合凸片及び第二嵌合凸片の各首部が嵌合すると共に各首部をスライド移動可能とする嵌合溝が前後方向へ伸長して形成され、
背もたれが後倒した状態で、前記台板及び背もたれの嵌合溝は直線状に連なると共に、背もたれには、当該直線状の嵌合溝と交差した円弧状の第二嵌合溝が形成されてなり、
第二嵌合凸片は、当該直線状の嵌合溝内を嵌合したまま直線状の嵌合溝の後端まで移動可能であると共に、第二嵌合溝内に沿って円弧方向へ移動可能であり、
第一嵌合凸片が背もたれの直線状の嵌合溝内で軸回転すると共に、第二嵌合凸片が後倒した背もたれの第二嵌合溝内を移動することで、嵌合凸片の首部が回転可能であり、
この第一嵌合凸片の軸回転と第二嵌合凸片の第二嵌合溝内の移動に伴って嵌め板が平面回転する、請求項４記載の介護用椅子。
【請求項６】
嵌め板はその下部に、自由転動可能な転動体３４が、嵌合凸片よりも低い高さで突出して、第一嵌合凸片を中心とした放射状の複数個所に配設され、
嵌め板が後倒した背もたれの方向へ前後移動し或いは移動先で回転する際に、前記各転動体のうち複数個が、椅子台ユニット又は後倒した背もたれの上面で転動する、請求項１、２、３のいずれかに記載の介護用椅子。
【請求項７】
第二背もたれには両側部に枠部が形成されると共に、枠部内に、後倒した第二背もたれの後倒方向へ転動可能な転動凸体、又は、前記後倒方向へスライド移動可能なスライドシートが収容される、請求項１〜６のいずれかに記載の介護用椅子。
【請求項８】
嵌め板はその前辺に延長板が回動可能に延長形成されると共に、嵌め板又は延長板の裏面又は側面に水平保持構造が形成され、
延長板が嵌め板の上面に沿う水平位置まで水平回動した状態で、水平保持構造を延長板と嵌め板とを跨ぐ位置まで移動させることで、前記水平回動した状態を保持する、
請求項１〜４のいずれかに記載の介護用椅子。
【考案の詳細な説明】
【技術分野】
【０００１】
本考案は、被介護者を使用者とする介護用車椅子であって、特に、自力で歩行することが困難な要介護者を、ベッドから車椅子に移動させる、或いは、車椅子からベッドに移動させる際の補助機能を有するものに関する。
【背景技術】
【０００２】
従来の介護用車椅子であって、着座者を椅子上と自動車シートやベッド上との相互間で移動させる移乗機能を有するものとして、例えば以下のものが開示される。
【０００３】
特許文献１には、移乗機能として、座面シートと背凭れ面シートとが蝶番を介して連結され、座面シートは座面シートの下方に配設したリフト手段により上下方向に昇降でき、背凭れフレームを傾動動作させる傾動手段により背凭れフレームを略垂直姿勢から略水平姿勢までの任意の姿勢をさせるものが開示される（特許文献１参照）。この文献記載の介護用車椅子は、背凭れ面シートと背凭れフレームとの左右方向の位置ずれ規制及び上下方向の位置関係調整を可能とし、背凭れフレームは上端側を伸長方向でスライドさせることで背凭れフレームの上下方向の長さを調整可能とし、座面シート及び背凭れ面シートの表皮が摩擦抵抗の少ない滑りやすい材質からなる介護用車椅子により課題解決できた、とされる。
【０００４】
また、特許文献２には、要介護者をベッドから移乗する手段として、ベッドの前後にベッドからの身体落下防止用枠を設け、その枠の中に人体吊下げ用ロープの長さを自由に調整出来るロープコントロール機構を８カ所に挿入した上で、セルフロック機能を有するウオーム減速機を介して上下位置決めを行なうと共に、ベッド手前に置かれた移乗機器をベッド内部に出し入れする仰向き傾斜機能付前後スライド機構と同期してベッドを待避させる為のベッド後方への折りたたみ待避機構を設けた移乗装置が開示される（特許文献２参照）。
【先行技術文献】
【特許文献】
【０００５】
【特許文献１】特開２０１６−１５８８６４号公報
【特許文献２】特開２０１１−１９４１９８号公報
【考案の概要】
【考案が解決しようとする課題】
【０００６】
しかしながら、前者の介護用車椅子は背もたれ面シートに沿って座面シートを滑らせて移動するため、背もたれシートの方向すなわち一方向にしか着座者を移動させることしかできず、車いす自体を移送先位置と隣接する位置まで移動させる必要があった。また、着座者を座布団状の座面シートごと滑らせて移動させるため、移動の際に着座者が座布団から落下するおそれがあり、移乗の安全性に問題を有していた。特に、倒した背もたれシートの伸長方向の先と同じ方向へしか移乗させることができず、椅子の背もたれの向きによって移乗方向が制限されるという課題があった。
【０００７】
また、後者の移乗装置は要介護者を一旦吊り下げ状態にして上昇、スライド移動ないし下降動作をする必要があるため、装置が大がかりとなると共に移乗先の位置の微調整が装置の配置場所に制限されるという問題を有していた。
【０００８】
そこで本考案は、移乗の安全性を確保しつつ、装置が大がかりとなることなく比較的コンパクトに構成できると共に、車いす自体を移送先位置と隣接する位置まで移動させることなく、倒した背もたれシートの伸長方向の先と異なる任意の方向へ移乗先を調整できる介護用車椅子を提供することを課題とする。
【課題を解決するための手段】
【０００９】
上記の課題を解決すべく、本願は以下の手段を講じている。なお以下の各記載において、名称の後に続けて記載する数字列又は数字とアルファベットとの組合せは、実施例の構成を参照して示すために便宜的につけられた符号であるが、これら符号をもって構成の内容や形状を限定する趣旨ではない。
【００１０】
〔１〕本発明の介護用車椅子は、
略水平に位相回転可能に支持された台板１１と、台板１１の後辺に後倒可能に設けられた背もたれ１２と、台板１１を支持する走行可能な走行支持体４０を有する移動式の椅子台ユニット１と、
台板１１の板面上部に嵌め込まれると共に、台板１１及び後倒させた背もたれ１２の前後方向にスライド移動可能な嵌め板２１と、
嵌め板２１の後辺に後倒可能に設けられた第二背もたれ２７／３２とを具備した座面ユニット３と、を具備した介護用椅子であって、
椅子台ユニット１の背もたれ１２が、台板１１の板面に対して所定の開き角度まで後倒した開き状態（S2）となったときに、
座面ユニット３が、椅子台ユニット１の台板１１上の第一位置（P1）と、開き状態（S2）の背もたれ１２上の第二位置（P2）との間を、前後方向へスライド移動可能であり、
また、
座面ユニット３が第二位置（P2）にスライド移動したときに、
嵌め板２１の上面の着座部が、嵌め板２１ないし後倒した背もたれ１２の上面と平行な面内で回転可能であり、かつ、
嵌め板２１の後辺又は側辺に立設した回倒板（第二背もたれ又はサイドパネル）の内面が、開き状態の後倒した背もたれ１２の上面と略平行になるまで外方へ回倒可能であり、
台板１１上に着座していた着座者が、座面ユニット３のスライド移動と共に後方へ移動し、回倒した回倒板の内面上で回転して向きを変え、さらに、回倒した回倒板の内面上からその回倒先の方向へ移動し得ることを特徴とする。
【００１１】
このようなものであれば、座面ユニット３の第二背もたれを、椅子台ユニット１の台板１１上から平面視後方へずれた位置に移動させ、その後、嵌め板２１を水平面内で所定の回転角度だけ回転させ、当該回転させた平面方向で第二背もたれ３２を後倒させることで、着座者を椅子から第二背もたれの後倒方向であるベッド等の移送先の所定位置まで容易に移送することができる。（例えば後述の図５〜図１０、図１５〜図２０）。あるいは、座面ユニット３の第二背もたれ３２を、椅子台ユニット１の台板１１上から平面視後方へずれた位置に移動させ、その後、嵌め板２１を水平面内で所定の回転角度だけ回転させると共にサイドパネル２２を外側方へ倒すことで、着座者を所定の角度だけ平面回転させた状態で、椅子からサイドパネル２２の側倒方向であるベッド等の移送先の所定位置まで容易に移送することができる。（例えば後述の図２７〜図３２）。
【００１２】
また、開き状態にしたサイドパネル２２及び背もたれ１２をベッドの上に配置して、横臥した着座者（被介護者）の下部に差し込み、座面ユニット３を、サイドパネル２２の上から平面視略Ｌ字方向に椅子台ユニット１の台板１１上まで移動させることで、横臥者をベッドから本発明の介護用車椅子の着座位置まで容易に移送することができる。
【００１３】
〔２〕前記介護用車椅子において、走行支持体４０は、台板１１の略中央位置を昇降可能に且つ位相回転可能に支持してなり、
また、椅子台ユニット１は、台板11が所定の昇降高さとなったときに台板11の位相回転を所定の方向（正方向）で止めるように作動する回転止め構造５１，５２と、
走行支持体４０の走行を止めるように作動する走行ブレーキ１５と、をさらに有してなり、
前記背もたれ１２は、前記回転止め構造（５１，５２）、走行ブレーキ１５の少なくともいずれかが作動した状態でのみ開き状態（S２）となることが好ましい。
【００１４】
このようなものであれば、台板11が所定の昇降高さで位相回転を止められた状態、或いは走行を止められて所定高さの静止状態となったときのみ、座面ユニット３の移動が可能となる。不安定な台板１１の回転可能状態又は走行可能状態での座面ユニット３の移動を制限することで、重心を安定させ転倒のおそれが少ない状態での、安全な移送を確保するものとなる。
【００１５】
具体的には、例えば、互いに嵌合する凸部嵌合体５１及び凹部嵌合体５２からなる回転止め構造を、台板１１の下部に設ける構造が挙げられる。凸部嵌合体５１及び凹部嵌合体５２一方及び他方を、台板１１、及び、走行支持体４０の周部を囲って固定された支持フレーム４Fの上部、のそれぞれに設けることで、回転止め構造が、台板１１の昇降高さに連動して作動する。すなわち、昇降高さが所定の高さ以下になると、凸部嵌合体５１及び凹部嵌合体５２が、走行支持体４０の正面の位置で互いに嵌合するよう、台板１１の回転位相が自動的に所定の方向（正方向）を向くように誘導される。そして、台板１１が所定の正面位相を向いて嵌合することで、回転止め構造の回転止め機能が作動する。
【００１６】
この回転止め構造を作動させる所定の昇降高さは、移送先のベッドの高さに合わせるよう、嵌合体の上下の取り付け位置調節によって変更可能であることが好ましい。
【００１７】
〔３〕前記介護用車椅子において、略水平に位相回転可能に支持された台板１１と、台板１１の後辺に後倒可能に設けられた背もたれ１２と、台板１１を支持する走行可能な走行支持体４０を有する移動式の椅子台ユニット１と、
台板１１の板面上部に嵌め込まれると共に台板１１及び後倒させた背もたれ１２の前後方向にスライド移動可能な嵌め板２１と、嵌め板２１の側辺に立設して外側方へ回倒可能なサイドパネル２２とを具備した座面ユニット３と、
背もたれ１２の両側部それぞれから前方へ伸長し、前記立設したサイドパネル２２に係止すると共に上方へ跳ね上げ可能に設けられた肘置き２２Ｔと、
を具備した介護用椅子であって、
肘置き２２Ｔがサイドパネルとの係止を解除されて上方へ跳ね上げられることで、椅子台ユニット１の背もたれ１２が、台板１１の板面に対して所定の開き角度まで後倒した開き状態（S2）に偏移可能であり、
椅子台ユニット１の背もたれ１２が、台板１１の板面に対して所定の開き角度まで後倒した開き状態（S2）となったときに、
座面ユニット３が、椅子台ユニット１の台板１１上の第一位置（P1）と、開き状態（S2）の背もたれ１２上の第二位置（P2）との間を、前後方向へスライド移動可能であり、
また、
座面ユニット３が第二位置（P2）にスライド移動したときに、
嵌め板２１が、開き状態の背もたれ１２上で嵌め込まれたまま水平面内で回転可能であると共に、
座面ユニット３の第二背もたれが、前記回転した嵌め板21の後辺から後倒可能であることが好ましい。
【００１８】
このようなものであれば、開き状態（Ｓ２）において外突出部（２２S/22T）（１２T）が脚部となって、移送先のベッド上に接地することで、開き角度を保って開き状態を安定させることができる。
【００１９】
特に後述の実施例において、サイドパネル２２の立設状態の上端面には、側部がサイドパネル２２よりも外方へ突出すると共に肘置き用の板面を有した外突出部（２２Ｔ）が設けられる。この外突出部（２２Ｔ）は、立設状態（Ｓ１）の側板の上端にて着座者の肘置き板を有しており、この肘置き板（２２Ｔ）が外突出部を兼ねてなる。サイドパネル２２が開き状態（Ｓ２）となったとき、肘置き板の外突出先部が接地する。
【００２０】
〔４〕前記いずれかに記載の介護用車椅子においては、嵌め板２１はその下部の中央部に柱状の首部を有した第一嵌合凸片が突設形成され、
椅子台ユニット１の台板１１及び背もたれには、前記第一嵌合凸片の首部が嵌合すると共に首部をスライド移動可能とする嵌合溝が前後方向へ伸長して形成され、
背もたれが後倒した状態で、前記台板１１及び背もたれの嵌合溝は直線状に連なり、
当該嵌合溝内を第一嵌合凸片が嵌合したまま前後方向へ移動可能であると共に、
後倒した背もたれの嵌合溝の後端付近で第一嵌合凸片が係止してそれ以上の後方移動が規制され、この規制された位置で嵌合凸片の首部が嵌合溝内で軸回転可能であり、この軸回転に伴って嵌め板２１が平面回転することが好ましい。
【００２１】
〔５〕前記いずれかに記載の介護用車椅子において、嵌め板２１はその下部に、前記第一嵌合凸片の首部よりも細い柱状の首部を有した第二嵌合凸片が突設形成され、
椅子台ユニット１の台板１１及び背もたれには、前記第一嵌合凸片及び第二嵌合凸片の各首部が嵌合すると共に各首部をスライド移動可能とする嵌合溝が前後方向へ伸長して形成され、
背もたれが後倒した状態で、前記台板１１及び背もたれの嵌合溝は直線状に連なると共に、背もたれには、当該直線状の嵌合溝と交差した円弧状の第二嵌合溝が形成されてなり、
第二嵌合凸片は、当該直線状の嵌合溝内を嵌合したまま直線状の嵌合溝の後端まで移動可能であると共に、第二嵌合溝内に沿って円弧方向へ移動可能であり、
第一嵌合凸片が背もたれの直線状の嵌合溝内で軸回転すると共に、第二嵌合凸片が後倒した背もたれの第二嵌合溝内を移動することで、嵌合凸片の首部が回転可能であり、
この第一嵌合凸片の軸回転と第二嵌合凸片の第二嵌合溝内の移動に伴って嵌め板２１が平面回転することが好ましい。
【００２２】
このようなものであれば、座面の回転移動がスムーズなものとなる。
【００２３】
〔６〕  前記いずれかに記載の介護用車椅子において、嵌め板２１はその下部に、自由転動可能な転動体が、嵌合凸片よりも低い高さで突出して、第一嵌合凸片を中心とした放射状の複数個所に配設され、
嵌め板２１が後倒した背もたれの方向へ前後移動し或いは移動先で回転する際に、前記各転動体のうち複数個が、椅子台ユニット１又は後倒した背もたれの上面で転動することが好ましい。
【００２４】
〔７〕  前記いずれかに記載の介護用車椅子において、第二背もたれには両側部に枠部が形成されると共に、枠部内に、後倒した第二背もたれの後倒方向へ転動可能な転動凸体、又は、前記後倒方向へスライド移動可能なスライドシートが収容されることが好ましい。
【００２５】
〔８〕  前記いずれかに記載の介護用車椅子において、
嵌め板２１はその前辺に延長板３７が回動可能に延長形成されると共に、嵌め板２１又は延長板３７の裏面又は側面に水平保持構造が形成され、
延長板３７が嵌め板21の上面に沿う水平位置まで水平回動した状態で、水平保持構造を延長板３７と嵌め板21とを跨ぐ位置まで移動させることで、前記水平回動した状態を保持することが好ましい。
【００２６】
上記の他、前記いずれかに記載の介護用車椅子において、サイドパネル又は背もたれの外面に、模様片または画像片を収容し得る収容ポケットを備えることが好ましい。
また、前記いずれかに記載の介護用車椅子において、肘置きユニット２及び背板の側部が、２色以上に色分けされていることが好ましい。
【考案の効果】
【００２７】
以上説明したように、本考案によれば、回転体の構造が比較的簡易であり、車いす自体を移送先位置と隣接する位置まで移動させることなく、倒した背もたれシートの伸長方向の先と異なる任意の方向へ移乗先を調整できる介護用車椅子を提供することができる。
【図面の簡単な説明】
【００２８】
【図１】本考案の実施例１に係る介護用車椅子の構成を示す分解正面図。
【図２】実施例１の介護用車椅子の構成を示す分解側面図。
【図３】実施例１の介護用車椅子の正面図。
【図４】図３のＡ−Ａ部の部分断面図。
【図５】実施例１の介護用車椅子の使用時の第一状態を示す平面図。
【図６】実施例１の介護用車椅子の使用時の第二状態を示す平面図。
【図７】実施例１の介護用車椅子の使用時の第三状態を示す平面図。
【図８】実施例１の介護用車椅子の使用時の第四状態を示す平面図。
【図９】実施例１の介護用車椅子の使用時の第五状態を示す平面図。
【図１０】実施例１の介護用車椅子の使用時の第六状態を示す平面図。
【図１１】本考案の実施例２に係る介護用車椅子の正面分解図。
【図１２】実施例２の介護用車椅子の正面図。
【図１３】実施例２の介護用車椅子の側面分解図。
【図１４】実施例２の介護用車椅子の側面図。
【図１５】実施例２の護用車椅子の使用時の第一状態を示す平面図。
【図１６】実施例２の介護用車椅子の使用時の第二状態を示す平面図。
【図１７】実施例２の介護用車椅子の使用時の第三状態を示す平面図。
【図１８】実施例２の介護用車椅子の使用時の第四状態を示す平面図。
【図１９】実施例２の介護用車椅子の使用時の第五状態を示す平面図。
【図２０】実施例２の介護用車椅子の使用時の第六状態を示す平面図。
【図２１】本考案の実施例３に係る介護用車椅子の側面視中央断面分解図。
【図２２】実施例３の介護用車椅子の側面図。
【図２３】本考案の実施例４に係る介護用車椅子の構成を示す正面分解図。
【図２４】実施例４の介護用車椅子の構成を示す側面分解図。
【図２５】実施例４の介護用車椅子の正面図。
【図２６】実施例４の座面ユニットの下部構造を示す図２５のＡ−Ａ断面部品図。
【図２７】実施例４の介護用車椅子の使用時の第一状態を示す平面図。
【図２８】実施例４の介護用車椅子の使用時の第二状態を示す平面図。
【図２９】実施例４の介護用車椅子の使用時の第三状態を示す平面図。
【図３０】実施例４の介護用車椅子の使用時の第四状態を示す平面図。
【図３１】実施例４の介護用車椅子の第五状態を示す平面図。
【図３２】実施例４の介護用車椅子の第六状態を示す平面図。
【考案を実施するための形態】
【００２９】
以下、実施例に係る介護用車椅子について実施例として示す各図と共に説明する。なお各用語に続けて記載する数字又はアルファベット列は、実施例の構成を参照して理解するために付した符号であり、これによって構成の意義や形状を限定する趣旨ではない。
【００３０】
（実施例１）
図１〜１０は、本考案の実施例１に係る介護用車椅子の構成及び使用時の第一〜第六状態を示す図である。
本発明の実施例１の介護用車椅子は、図１〜図４に示すように、後倒可能な背もたれ１２を有した移動式の椅子台ユニット１と、後倒可能な第二背もたれ２７を有した座面ユニット３と、からなる２つのユニットからなる。
【００３１】
このうち椅子台ユニット１は、略水平に位相回転可能に支持された台板１１と、台板１１の後辺に後倒可能に設けられた背もたれ１２と、台板１１を支持する走行可能な走行支持体４０を具備している。
【００３２】
また座面ユニット３は、台板１１の板面上部に嵌め込まれると共に、台板１１及び後倒させた背もたれ１２の前後方向にスライド移動可能な嵌め板２１と、嵌め板２１の下面中央に突出形成された嵌合凸片３６と、嵌め板２１の下面であって嵌合凸片３６の平面視周囲に放射状に配置された複数のボールキャスターからなる転動体３４と、嵌め板２１の後辺にヒンジ接続によって後倒可能に設けられた第二背もたれ２７と、第二背もたれ２７の内面部分に上下転回可能に嵌め込まれたベルト状のスライドシート２８とを具備している。
【００３３】
この実施例の介護用車椅子は、椅子台ユニット１の背もたれ１２が、台板１１の板面に対して所定の開き角度まで後倒した開き状態（S2）へと移行可能であり（図７）、
背もたれ１２が開き状態（S2）となった状態（図７）において、座面ユニット３が、椅子台ユニット１の台板１１上の第一位置（P1）から、開き状態（S2）の背もたれ１２上の第二位置（P2）へ向かって後方へスライド移動可能となっている（図８）。さらに、座面ユニット３が第二位置（P2）にスライド移動したときの嵌め板２１の上面の着座部が、後倒した背もたれ１２の上面と嵌合したまま、背もたれ１２の上面と平行な面内で９０度又は９０度以上の回転角度だけ水平回転可能となっている（図９）。
【００３４】
また、嵌め板２１の上面の着座部が水平回転した状態で、嵌め板２１の後辺に立設した回倒板たる第二背もたれ２７の内面が、開き状態の背もたれ１２の上面と略平行な水平面となるまで外方へ回倒（後倒）可能となっている（図１０）。そして、第二背もたれ２７の内面にはベルト状のスライドシート２８が収容され、このスライドシート２８のシート面が第二背もたれ２７の頂部方向へずれるようにベルト転回することで、スライドシート上の着座者を後倒方向へ移設可能となっている（図１０）。
【００３５】
実施例１の介護用車椅子を図７〜図１０に示す状態へと順に状態遷移させることで、台板１１上に着座していた着座者は、座面ユニット３のスライド移動と共に後方の第二位置へ移動し（図８）、水平回転した嵌め板２１と共に９０度またはそれ以上の回転角度だけ向きを変え（図９）、さらに、回倒板たる第二背もたれ２７の後倒と共に仰向けの状態となり、そして、第二背もたれ２７の枠内に収容されたベルト状のスライドシート２８のベルト回転によって、第二背もたれ２７の後倒方向へスライド移設されることで、その先のベッドＢの上に移設される（図１０）。
【００３６】
（椅子台ユニット１）
椅子台ユニット１は、矩形板からなると共に板中央を支点として水平に支持されて支点まわりに位相回転可能な台板１１と、台板１１の後辺にヒンジ接続されることで後倒可能に設けられた背もたれ１２と、台板１１を下部から支持する走行可能な走行支持体４０を有する（図１〜図４）。
【００３７】
走行支持体４０は、台板の略中央位置を昇降可能に且つ位相回転可能に支持してなると共に、走行支持体を走行不能とするように作動する走行ブレーキ１５を有する。走行支持体は具体的には、鉛直方向に配置されて台板１１の略中央位置を支えるシリンダ４１と、シリンダ４１をガス圧で突出入させることで台板１１の昇降高さを調節するジャッキと、固定部周りに往復角度変移させることでシリンダ４１を所定量ずつ突出させる昇降レバー４２と、ジャッキの周部を囲って固定された支持フレーム４Ｆと、支持フレーム４Ｆの前部左右に転動可能に支持された比較的小型の前方車輪１４Ｆと，支持フレーム４Ｆの後部左右に転動可能に支持された比較的大型の後方車輪１４Ｒと、支持フレーム４Ｆの後部の左右それぞれに回動可能に軸支される走行ブレーキ１５と、を具備する。このうち走行ブレーキ１５は、ブレーキレバー１５Ｌの操作によって回動して後方車輪１４Ｒに先端が当接することで、走行支持体４０を走行不能とするように作動する（図１、図３）。
【００３８】
また、椅子台ユニット１は、台板１１が所定の昇降高さ以下となったときに台板１１の位相回転を正面方向で止めるように作動する回転止め構造を具備する。この回転止め構造は具体的には、上下に離間配置されると共に、近接することで互いに嵌合する凸部嵌合体５１及び凹部嵌合体５２からなる（図１〜図３）。凸部嵌合体５１は走行支持体４０の周部を囲って固定された支持フレーム４Fの前方上部に固定された、中央部が上方へ山型に折れ曲がってなる屈曲パイプからなる。凹部嵌合体５２は台板１１の前方寄りの下部に下方突出するように固定された、下面中央部に円形状の窪みを有する板体からなり、下面中央部の窪みに沿って緩衝係止用の多数の小突起を有するゴム製の緩衝材５２Ｇが貼り付けられる。この回転止め構造は、台板１１の昇降高さが所定以下になることで昇降高さの調節機構と連動して作動する。すなわち、昇降高さが所定の高さ以下になると、凸部嵌合体５１及び凹部嵌合体５２が、走行支持体４０の正面の位置で互いに嵌合するよう、台板１１の回転位相が自動的に所定の方向（正方向）を向くように誘導される。そして、台板１１が所定の正面位相を向いて嵌合することで、回転止め構造の回転止め機能が作動する。
【００３９】
椅子台ユニット１の台板１１の上面の幅方向中央部、及び、背もたれ１２の内面の幅方向中央部には、座面ユニット３の嵌合凸片３６が嵌入する嵌合穴２５０が形成される。台板１１の嵌合穴２５０は台板１の板面の中央付近からから後辺中央にかけて直線状に形成され、背もたれ１２の嵌合穴２５０は板面の中央付近から下辺中央にかけて直線状に形成される。背もたれ１２が後倒した開き状態（図７に示す第三状態）では、台板１１及び背もたれ１２の嵌合穴２５０が前後方向に直線状に連なる。図４、図７、図９に示すように、いずれの嵌合穴２５０とも、穴深さの中央付近の両側部に、穴幅を狭めるように張り出し板２５０Ｐが中空状に固定される。これにより、穴底部に、嵌合凸片３６の下端の拡径板を嵌合収容するための収容間が形成される。
【００４０】
台板１１の上面の幅方向左右側部寄りの位置、及び、背もたれ１２の内面の幅方向左右側部寄りの位置には、座面ユニット３の転動体３４の頂部が部分嵌入する嵌入溝２５４が左右二本ずつ、合計４本形成される。台板１１の嵌入溝２５４は台板１の板面の中央付近からから後辺中央にかけて直線状に形成され（図９、図１０）、背もたれ１２の嵌入溝２５４は板面の下辺から上辺付近にかけて直線状に形成される。背もたれ１２が後倒した開き状態（図７に示す第三状態）では、台板１１及び背もたれ１２の嵌入溝２５４は各本が前後方向に直線状に連なる。背もたれ１２の内面の上辺付近には、４本の嵌入溝２５４の溝端に連なって、円弧状の嵌入溝２５５が形成される。
【００４１】
座面ユニット３の嵌め板２１の下面であって嵌合凸片３６の平面視周囲には、８個の自由転動可能なボールキャスターからなる転動体３４が、直線状の嵌入溝２５４及び円弧状の嵌入溝２５５の両方と対応する位置に設けられている。座面ユニット３の嵌合凸片３６と椅子台ユニット１の嵌合穴２５０とが嵌合した状態で、直線状の嵌入溝２５４には、ボールキャスターからなる転動体３４の頂部が２個ずつ嵌入して、嵌め板２１のスライド移動（図７から図８の状態への状態遷移）を補助する。そして、嵌め板２１が後倒した背もたれ１２上にスライド移動したとき、円弧状の嵌入溝２５５には、ボールキャスターからなる転動体３４の頂部が当該円弧内に１個ずつ嵌入して、嵌め板２１の回転（図８から図９の状態への状態遷移）を補助する。
【００４２】
背もたれ１２の両側部には、ロックレバー１２Ｌが回動可能に設けられる（図２、図４）。このロックレバー１２Ｌは、座面ユニット３に設けられたフック２２Ｆに係止可能であり、背もたれ１２が立設状態にあるときの椅子台ユニット１上に座面ユニット３を固定するために使用される。座面ユニット３の左右のサイドパネル２２の後端には、ロックレバー１２Ｌに対応するフック２２Ｆがそれぞれ設けられており、左右のロックレバー１２Ｌが左右のフック２２Ｆにそれぞれ係止することで、背もたれ１２と第二背もたれ３２が重ねられた状態でロックされると共に、背もたれ１２のヒンジ連結部が回動しないように立設状態のままロックされる。
【００４３】
背もたれ１２の上部の左右端には、操作レバー１２１Ｌ又は１３２Ｌ付きのハンドル１３がそれぞれ突出して固定される。台板１１と背もたれ１２とは、背もたれ１２の下端のヒンジ１Ｈによって背もたれの角度が略９０度から略１８０度までの範囲の開き角度で可変する。また、片側の操作レバー１２１Ｌの操作によって任意の開き角度を維持する。背もたれ１２と台板１１は具体的には、凹形状部及び凸形状部からなる凹凸組合せ構造をヒンジ連結部として有しており、ヒンジ連結部によって互いに連結される（図８）。背もたれ１２の開き状態（S2）において、背もたれ１２の背もたれ面と、台板１１の板面とが、前記凹凸組合せ構造にて連結された一平面を形成する（図７、図８）。凹凸組合せ構造の凹形状部及び凸形状部の組合せ境界線は、台板１１の端から、台板１１全幅の２０〜２５％の範囲内の位置に設定される。
【００４４】
台板１１の前端辺には、台板よりも板厚さの厚い前板１１が固定されており、前板１１の後端面には緩衝材１１Ｇが固着される（図２）。この緩衝剤１１Ｇは、背もたれ１２が立設状態（Ｓ１）となった状態での肘置きユニット２の位置をそれ以上前方へ脱落しないように規制すると共に、座面ユニット３の位置をそれ以上前方へ脱落しないように規制する。
【００４５】
（座面ユニット３）
座面ユニット３は、台板１１の板面上部に嵌め込まれると共に、台板１１及び後倒させた背もたれ１２の前後方向にスライド移動可能な嵌め板２１と、嵌め板２１の左右各側辺に立設固定されたサイドパネル２２と、嵌め板２１の下面中央に突出形成された嵌合凸片３６と、嵌め板２１の下面であって嵌合凸片３６の平面視周囲に放射状に配置された複数のボールキャスターからなる転動体３４と、嵌め板２１の後辺にヒンジ接続によって後倒可能に設けられた第二背もたれ２７と、第二背もたれ２７の内面部分に上下転回可能に嵌め込まれたベルト状のスライドシート２８とを具備している。
【００４６】
（サイドパネル２２）
左右のサイドパネル２２は、嵌め板２１の両側部にそれぞれ立設固定される。各サイドパネル２２は、着座者の膝先の外部を覆う横方向板部と、着座者の腰ないし胸の外部を覆う縦方向板部とが一体的に連なった、略”Ｌ”字形状の板体からなる（図２）。横方向板２２の上面には肘置き板２２Ｔが水平固定され、肘置き板２２Ｔの前部には上開口した小物収容穴が設けられる（図２、図３）。左右のサイドパネル２２の縦方向板部の上端部には内側にわずかに膨らんだクッション部２２Ｃが一体的に設けられる（図２、図３）。このクッション部２２は着座者の頭部を側方へ充てるための、側部枕の役割を果たすこともできる。各サイドパネル２２の横方向板部の前方付近の内面には、小物収容ポケット２２Ｐが突出形成される（図３、図４）。
【００４７】
サイドパネル２２の天面及び中央部外面には、外方へ突出固定される細板状の側面外突出部２２Ｓ，２２Ｔが固着される。立設状態のサイドパネル２２の天面に固定される側面外突出部（天板）２２Ｔは、肘置き板としての役割を果たす。
【００４８】
座面ユニット３は、嵌め板２１の後端辺から立設した第二背もたれ３２を備える。第二背もたれ２７は背もたれ１２の内面に重ねられて背もたれ１２と共に二重の背もたれ部を構成する（図３、図４）。また第二背もたれ２７は略矩形の枠部を有すると共に、この略矩形の枠部の枠内部分に、水平のベルト回転軸によって転回するベルト状のスライドシート２８が嵌め込まれる。枠部の枠内部分にはそれぞれ自由回転可能にベルトローラーが嵌め込まれており、スライドシート２８は、その上下端部がベルトローラーに巻き付けられ、枠内全体に張設した状態で収容される。後倒させた第二背もたれ２７の内面のスライドシート２８を、第二背もたれ２７の上辺側へずらすことで、スライドシートが第二背もたれ３２の上辺側へ転回可能にベルト転回する。
【００４９】
また、第二背もたれ２７の立設状態を保持する立設のロック機構を有する。具体的には、左右のサイドパネル２２の横方向板部の上端であって前後方向略中央位置に、先部が湾曲した立設フック２７Ｌが、支持軸を中心として回動可能に支持されると共に、第二背もたれ２７の側部に、立設フック２７Ｌの先部の湾曲形状部分を係止し得る水平のフック軸２７Ｆが設けられる。第二背もたれ２７の立設角度は、この立設フック２７Ｌとフック軸２７Ｆからなる立設のロック機構によって固定される。
【００５０】
座板３１の内部には、前方へ引き出し可能な引き出し板３７が収容される。引き出し板３７の前端を手掛かりとして前方へ引き出すことができる。使用時には、例えば、座面ユニット３を台板１１上の第一位置（Ｐ１）から背もたれ１２上の第二位置（Ｐ２）へ移動させた第四状態（図８）において、座板３１の前方から引き出し板３７を引き出す。これにより、着座者の腰から上肢までを座板３１、回転座面３３、及び引き出し板３７上に配置させたまま、安定して座面ユニット３を移動させることができる。
【００５１】
座面ユニット３は座板１１の下部に、座板１１の幅方向に沿って伸びる、断面倒立Ｔ字状の嵌合凸片３６を備える。この嵌合凸片３６は、下方へ突出固定された短円柱状の首部の先に円形板が固着されてなる（図１〜図４）。円形板は嵌合穴２５０内の突出板２５０Ｄの下部の空間に収容される（図４）。この嵌合凸片３６及び嵌合穴２５０は、第三状態（図７）から第四状態（図８）へ移る際の前後移動をガイドする。また、嵌合凸片３６は嵌合穴２５０の後端にて、第四状態（図８）から第五状態（図９）へ移る際の回転移動をガイドする。
【００５２】
また、座板１１の下部であって嵌合凸片３６の前後方向各々に、座面ユニット３を前後方向乃至回転方向に移動させる転がり構造として、２行ずつ４列並んで構成された、全８個のボールキャスターからなる転動体３４を備える。この転動体３４の配置は、椅子台の台板１１と背もたれ１２のヒンジ連結部分である凹凸組み合わせ構造の凹形状部と凸形状部それぞれの上部を走行できる位置に設定されており、また、台板１１と背もたれ１２の内面に形成された嵌入溝２５４，２５５に対応する位置に設定されている。
【００５３】
（介護用車いす上の第一状態からベッドＢ上の第六状態とする使用方法）
（使用時における第一〜第六状態）
被介護者を着座状態からベッドＢ上へ移送する際は、背もたれ１２が立設しており、かつ嵌め板２１の座面上に被介護者が着座した状態のまま、第一状態として図５に示すように、ベッドＢの側部近傍に肘置き板２２Ｔが並行に位置するように介護用車椅子を移動させたのち、第二状態として図６に示すように、台板１１及びこれと一体回転する背もたれ１２を水平に略９０度位相回転することで、着座した被介護者（図示せず）をベッドＢのヘリまで背を向けて近づけた状態とする。
【００５４】
続けて背もたれ１２のロックレバー１２Ｌとサイドパネル２２後端のフック２２Ｆとの係止を解除してから、第三状態として図７に示すように、背もたれ１２を、台板１１の板面に対して所定の開き角度まで後倒させた開き状態（S2）とする。このとき、台板１１と背もたれ１２は一平面を構成し、凹凸組合せ構造を構成する台板１１の凸形状部と凹形状部、ないし背もたれ１２の凸形状部がヒンジ連結部に平面状に露出する。
【００５５】
背もたれ１２を第三状態の開き状態（S2）としたのち、第四状態として図８に示すように、椅子台ユニット１の台板１１上の第一位置（P1）にある座面ユニット３を、嵌合穴２５０に沿って後方へスライド移動させて、開き状態（S2）の背もたれ１２上の第二位置（P2）に移設する。このとき、座面ユニット３の前部に収容された引き出し板３７を引き出して、着座者の膝を伸ばした状態とすることが好ましい。
【００５６】
また、この後方へのスライド移動の際、座面ユニット３の下面にて４列に設けられたボールキャスターからなる転動体３４が直線状の嵌入溝２５４内を転動して進むところ、各列のボールキャスター３４は、凹凸組合せ構造を構成する台板１１の凸形状部と凹形状部、ないし背もたれ１２の凸形状部それぞれの上を、２列ずつ順に転がって進むことで、４列全てが台板１１と背もたれ１２の境界の段差部に同時に嵌り落ちることがない。これにより、座面ユニット３は第一位置（Ｐ１）から第二位置（Ｐ２）へスムーズに移動させることができる。また第四状態として図８に示すように、座面ユニット３が第二位置（Ｐ２）に移動した状態では、図示しない前後のロック機構によって、肘置きユニット２の前後方向の位置をロックすることが好ましい。
【００５７】
続けて第五状態として図９に示すように、前記前後のロック機構を解除すると共に、背もたれ１２上の第二位置（Ｐ２）にある座面ユニット３を、嵌合凸片３６を中心として水平面内で略９０度回転させ、座面ユニット３上の着座者の背中がベッドＢの枕と対面する方向に方向転換させる。
【００５８】
また、続けて第六状態として図１０に示すように、立設状態（Ｓ１）における立設フック２７Ｌとフック軸２７Ｆとからなる立設のロック機構（立設フック）を解除して、第二背もたれ２７をヒンジ回転によって後倒させた、第二開き状態（S３）とする。座面ユニット３上の着座者はこの第二背もたれ２７の後倒と共にその上体が後方へ倒され、ベッドＢ上に仰向けに寝た状態となる。さらにこの第六状態において、後倒した第二背もたれ２７の枠内のベルト状のスライドシート２８をベルト転回させると共に、仰向けに寝た状態の着座者の体を、第二背もたれ３７の上辺側へずらす様に押し運ぶ。これにより、第二背もたれ２７上に仰向けに寝た状態の着座者の体を、第二背もたれ３７の上辺の先のベッドＢの枕側へ移設することができる。
【００５９】
また、第五状態（図９）から第六状態（図１０）へ移行する際、すなわち、座面ユニット３が、椅子台ユニット１の開き状態（S2）の背もたれ１２上の第二位置（P2）と、開き状態（Ｓ２）のサイドパネル２２との間を、左右外方向へスライド移動する際においては、前記ボールキャスターたる転動体３４が、凹凸組合せ構造の凹形状部及び凸形状部の組合せ境界線２ＵＢを跨ぐ複数の幅方向位置で、開き状態（S2）の背もたれ１２及びサイドパネル２２の上を転動して前記凹凸組み合わせ構造の部分を亘る。
【００６０】
なお座面ユニット３の第二背もたれ３２の両端には、締結器をそれぞれ先に備えた図示しない左右のベルトが取り付けられる。ベルト３５は着座者の着座位置の保持のため、第一状態（図５）から第六状態（図１０）に至るまで締結器同士が締結されており、第二背もたれの後倒と共に着座者がそのままベッドＢ上に背を倒した横臥状態となったのち、ベルトの締結器３５Ａ，３５Ｂの締結を解除し、第二背もたれ２７の上辺側すなわちベッドＢの枕の方向へ移設させることが好ましい。
【００６１】
（ベッドＢ上の第六状態から介護用車いす上の第一状態とする使用方法）
被介護者をベッドＢ上の横臥状態から介護用車いす上へ移送して着座状態とする際は、図１０に示す第六状態から順に、第五状態（図９），第四状態（図８）、第三状態（図７）、第二状態（図６）を経て第一状態（図５）へと順に移行させる。
【００６２】
（実施例２）
図１１〜２０は、本考案の実施例２に係る介護用車椅子の構成及び使用時の第二〜第六状態を示す図である。以下図１１〜図２０を参照して、実施例２に係る介護用車椅子の構成について説明するが、実施例１の構成と同一の構成には、同一の符号を付して重複する説明を省略する。
【００６３】
この実施例２に係る介護用車椅子は、図１１〜図１４に示すように、後倒可能な背もたれ１２を有した移動式の椅子台ユニット１と、後倒可能な第二背もたれ２７を有した座面ユニット３と、からなる２つのユニットからなる。但し図１１、図１３に示すように、座面ユニット３の第二背もたれ３２の両側部のガイド枠３２２Ｇ内に、差し込み式のスライドシート２８１が差し込み収容される。
【００６４】
このうち椅子台ユニット１は、実施例１と同様、略水平に位相回転可能に支持された台板１１と、台板１１の後辺に後倒可能に設けられた背もたれ１２と、台板１１を支持する走行可能な走行支持体４０を具備している。
【００６５】
椅子台ユニット１の台板１１の上面の幅方向中央部、及び、背もたれ１２の内面の幅方向中央部には、座面ユニット３の嵌合凸片３６が嵌入する嵌合穴１５０，２５０，２５１が形成される（図１３、図１７）。台板１１の嵌合穴１５０は台板１の板面の中央付近からから後辺中央にかけて直線状に形成され、背もたれ１２の嵌合穴２５０は板面の下辺中央から面中央部にかけて直線状に形成され、背もたれ１２の上部の嵌合穴２５１は板面の面中央部から上辺近傍にかけて直線状に形成される。
【００６６】
背もたれ１２が後倒した開き状態（図１６に示す第三状態）では、台板１１の嵌合穴１５０及び背もたれ１２の嵌合穴２５０，２５１が前後方向に一直線状に連なる。そして背もたれ１２の上辺付近にはさらに、嵌合穴２５１の上辺付近の端部から連なって、半円弧状の嵌合穴２５２が形成される。また、背もたれ１２の中央部までの嵌合穴２５０と、中央部よりも上辺寄りに向かう嵌合穴２５１との境界には、嵌合穴の穴側縁から突出するように、左右一対のコマ状の回転柱２５３が背もたれ１２の内部に収容される（図１１、図１６）。本実施例では、嵌合穴１５０、ないし嵌合穴２５０、２５１、２５２のいずれも、台板１１ないし背もたれ１２の厚さ方向すべてを等間隔に切断する開口穴となっている。そして背もたれ１２の中央付近であって厚さ方向のうち半分程度の範囲に、厚さ方向を自由回転軸とするコマ状のベアリングからなる回転柱２５３が、開口穴の両側部から部分的に張出して収容される。
【００６７】
この左右一対の回転柱２５３は、その外周の一部分が、嵌合穴２５１の両脇からそれぞれ部分突出することで、嵌合穴の穴幅を狭めてなる。これにより、座面ユニット３の中央の嵌合凸片３６の首部３６１の、それ以上の後方移動を規制する。つまり、嵌め板２１の後部寄りに突出形成された第一嵌合凸片３６１の首部は、嵌め板２１の中央部の嵌合穴２５０の後端に内装された左右一対の回転柱２５３によって、それよりも後方の嵌合穴２５１内へ移動することができない。一方、嵌め板２１の後部寄りに突出形成された第二嵌合凸片３６２は、棒状の長さ方向の一部に切欠き部３６２Ｄが形成されており、この切欠き部３６２Ｄが左右一対の回転柱２５３の位置に対応してなる。つまり、第二嵌合凸片３６２は回転柱２５３の部分を通過してそれよりも先側の嵌合穴２５１及び半円弧状の嵌合穴２５２にまで移動可能となっている（図１６，図１７）。
【００６８】
これにより、後倒した背もたれ１２上の座面ユニット３は、後方へスライド移動した第四状態（図１７）となったとき、嵌め板３１中央の第一嵌合凸片３６１だけが一対の回転柱２５３に規制されて回転可能に支持される一方、嵌め板３１後方の第二嵌合片３６２が先側の嵌合穴２５１の後端まで移動する。そして、後方へスライド移動した第四状態（図１７）から座面ユニット３だけ回転する第五状態（図１８、図１９）となるとき、後倒した背もたれ１２上で第一嵌合凸片３６１を中心として、第二嵌合突片３６２が半円弧状の嵌合穴２５２内を円弧移動することで、座面ユニット３の嵌め板３１が水平に１００度以下の位相角度の範囲で回転する。
【００６９】
背もたれ１２の両側部には実施例１と同様のロックレバー１８Ｌが回動可能に設けられる。このロックレバー１８Ｌは、座面ユニット３に設けられたフック３８Ｆに係止可能であり、背もたれ１２が立設状態にあるときの椅子台ユニット１上に座面ユニット３を固定するために使用される。座面ユニット３の左右のサイドパネル３８の後端には、ロックレバー１８Ｌに対応するフック３８Ｆがそれぞれ設けられており、左右のロックレバー１８Ｌが左右のフック３８Ｆにそれぞれ係止することで、背もたれ１２と第二背もたれ３２が重ねられた状態でロックされると共に、背もたれ１２のヒンジ連結部が回動しないように立設状態のままロックされる。
【００７０】
背もたれ１２の背面、及びサイドパネル３８の外面には、各面と平行な覆い面を有する薄型の透明ポケット１２Ｐ，３８Ｐが形成される。この透明ポット１２Ｐ，３８Ｐの内部にイラストや写真を収容することができる。
【００７１】
本実施例の座面ユニット３は、台板１１の板面上部に嵌め込まれると共に、台板１１及び後倒させた背もたれ１２の前後方向にスライド移動可能な嵌め板３１と、嵌め板３１の下面中央に突出形成された第一嵌合凸片３６１と、嵌め板２１の下面であって嵌合凸片３６の後方に突出形成された第二嵌合突片３６２と、第一嵌合凸片３６１を中心とした嵌め板３１の平面視周囲に放射状に配置された奇数個のボールキャスターからなる転動体３４と、嵌め板２１の後辺にヒンジ接続によって後倒可能に設けられた第二背もたれ３２と、第二背もたれ３２の両側部に設けられたガイド側板３２２と、左右のガイド側板３２２の間を亘って第二背もたれ３２の面内に並べて設けられた水平軸のローラーからなる転動体２８Ｒと、第二背もたれ３２の内面上にて上下方向へスライド可能に差し込まれるスライドシート２８１とを具備している。
【００７２】
この実施例２に係る介護用車椅子は、肘置きユニット２の下部に形成された前後方向の転がり構造と、着座ユニット３の座板３１の下部に形成された左右方向の転がり構造とからなる、前後方向及び左右方向の各転がり構造を別々に有する。
【００７３】
着座ユニット３の嵌め板３１の下部には、平面視中央位置の第一嵌合凸片３６１と、幅方向中央かつ後方寄りの第二嵌合凸片３６２とが突出形成される。このうち第一嵌合凸片３６１は、嵌め板３１の中央下部から突出する短柱からなる首部と、首部の先に固着された略円形の薄型の止め板３６１Ｐとから構成される。第一嵌合凸片３６１の首部は、台板１１の嵌合穴１５０の上下の穴を貫通し、第一嵌合凸片３６１の首部の先の止め板３６１Ｐは台板１１の裏面側に接する。また第二嵌合凸片３６２は、前記首部と同径の第二首部と、その下端に首部よりも大きい径の円形の薄型の止め板が固着される。また、第一嵌合凸片３６１の平面視中心周りに複数個のボールキャスターからなる転動体３４が、同一円形状に等間隔に配置される。
【００７４】
第二背もたれ３２は薄型の板厚さの板体からなると共に、その両側部には、第二背もたれ３２の外側部ないし前部を囲う側板３２２が、第二背もたれ３２の前方及び後方へ突出した厚さで形成され、第二背もたれ３２の前方にて内側へ屈曲したガイド板３２２Ｇが延設される（図１０〜図１３）。この側板３２２は、第二背もたれ３２の後部へ背もたれ１２が重ねて設置されたときに、背もたれ１２の側部全体を囲うことのできる前後方向の長さからなる（図１３、図１４）。側板３２２の上部よりの後辺には、ハンドル１３を収容するための収容溝３２２Ｄが切欠き形成される。そして第二背もたれ３２の内面には、左右のガイド板３２２Ｇによって、両側部に、スライドシート２８１を収容するための収容空間が形成される。
【００７５】
スライドシート２８１は上辺付近に持ち手用孔２８１Ｈが形成され、この上辺が後方へ湾曲して第二背もたれ３２の上辺に沿う。第二背もたれ３２の内面には、ローラー型の多数本の転動体２８Ｒが内面側へ部分突出して並列形成され、スライドシート２８１は各転動体２８Ｒの突出部分に接して、転動体２８Ｒの転動と共に第二背もたれ３２の上辺側へスライド移動可能に収容される。また、持ち手用孔２８１Ｈ第二背もたれの上端中央部には係止突起３２Ｔが設けられ、この係止突起３２Ｔが持ち手孔２８１Ｈ内に係止する。図１９に示すように、第五状態にて後倒させた第二背もたれ３２の上面にあるスライドシート２８１の持ち手孔２８１Ｈを引き出すことで、スライドシート２８１が転動体２８Ｒに支えられたままスライド移動し、仰向けに倒れた着座者を第二背もたれ３２の上辺側へ移設させることができる。
【００７６】
背もたれ１２の両側部には、背もたれ１２の前方にて第二背もたれ３２の両側部を支えるサイドバー１２Ｓが固定される。台板１１の前部には、ヒンジ３７Ｈにて回動可能に固定された突出板３７が設けられる。この突出板３７は台板１１側に収容した棒状の角度固定具３７３と突出板３７の下部に突出させることで、台板１１と平行な水平状態を維持することができる。着座ユニット３を後方へスライド移設する際に、この突出板３７を水平にして角度固定具３７３をその保持枠部３７２側へスライド移動させることで、着座者の膝を伸ばした状態とすることができる。
【００７７】
背もたれ１２の両側部の高さ方向略中央位置には夫々、立設したサイドパネル２２を立設状態に保持する係止レバー１８Ｌが設けられる。また、サイドパネル２２の後部には、立設状態（Ｓ１）の背もたれ１２の係止レバー１８Ｌの設置位置に対応して、係止レバー１８Ｌと係止可能な係止フック３８Ｆが設けられる。背もたれ１２及びサイドパネル２２が立設した第一ないし第二状態では、係止レバー１８Ｌと係止フック２８Ｆとが係止して、肘置きユニット２が第一位置（Ｐ１）にあるときに立設したサイドパネル２２が不要に前後方向へ移動しないようにする、前後のロック機構として機能する。
【００７８】
また、サイドパネル３８７の下部の外側面には、後倒した開き状態（Ｓ２）の係止レバー１８Ｌの設置位置に対応して、背もたれ１２の係止レバー１８Ｌと係止可能な、図示しない係止フックが設けられる。背もたれ１２が後倒しかつサイドパネル２２が立設したまま第二位置に移動した第四状態（図１８）では、開き状態（Ｓ２）の背もたれ１２の係止レバー１８Ｌと、立設状態のサイドパネル２２の図示しない係止フックとが係止して、サイドパネル２２が前後方向へ不要に移動しないように止める、前後のロック機構として機能する。
【００７９】
上記のように２ユニットの構成における上部の着座ユニット３が前後方向へ移動し、後方の第二位置において第一係止凸片３６１を中心として椅子台ユニット１上に係止したまま回転可能とすることで、簡易な構造でありながら着座者の後方移動及び平面回転による方向転換が簡易な手順により可能となっている。また平面回転は円弧状の嵌合穴２５２内の、第二嵌合凸片３６２の変位の位相に応じて、０度から左右５０度ずつまでの角度の範囲で可能となっており、９０又はその前後の角度に限られない。これにより、図１５〜図１９に示すように、ベッドＢとベッドＢ´の間隔が小さい時や、ベッドＢの近くに壁Ｗなどの障害物があって、椅子の設置スペースが取れない場合でも、ベッドＢの設置方向から見て平面視斜め方向近傍に介護用車椅子をセットしてこの斜め位置からベッドＢに向かって背もたれ１２を倒すことで、ベッドＢ上への着座者の移設が可能となる（図１５〜図２０）。その他の主な構成ないし効果は、実施例１に係る介護用車椅子と同じである。
【００８０】
（実施例３）
図２１〜２２は、本考案の実施例３に係る介護用車椅子の構成及び使用時の第五〜第六状態を示す図である。以下図２１〜図２２を参照して、実施例３に係る介護用車椅子の構成について説明するが、実施例２の構成と同一の構成には、同一の符号を付して重複する説明を省略する。
【００８１】
この実施例３に係る介護用車椅子は、台板１１を有する椅子台ユニット１と、椅子台ユニット１の台板１１の両側部それぞれに嵌め込まれる嵌め板３１及びその両側部に立設したサイドパネル２２を有する座面ユニット３と、座面ユニット３の内側に仮固着可能なクッションＣ２８を具備する。サイドパネル３８は横長扁平の円弧板部を有し、内側前方寄りに手掛かりとなる斜め方向の亘り板３８Ｂが固定される。またサイドパネルの内面中央には、小物入れ用口３８３Ｈが設けられ、この小物入れ用口３８３Ｈに対応してサイドパネルの外面中央に、小物入れ収容スペースを有する半球状の収容体３８３が設けられる。サイドパネル３８の後部上方にはサイドクッション３８２Ｃがサイドパネル３８の上端から上下伸縮可能に設けられる。第二背もたれ３２の内部には多数の転動体２８Ｒが離間収容され、この転動体２８Ｒの前面側に接してスライドシート２８１が上下スライド移動可能に収容される。スライドシート２８１Ｈは中央付近の両側部に、着座者を固定するための互いに締結可能な締結ベルト３５が設けられる。また、スライドシート２８１のシート面中央には、クッションＣ２８の背もたれ部の裏面に形成された仮係着面に係着し得る面係着部２８１Ａが形成され、シート面にクッションＣ２８を仮係着できるようにしている。
その他の主な構成ないし効果は、実施例２に係る介護用車椅子と同じである。
【００８２】
（実施例４）
図２３〜３２は、本考案の実施例４に係る介護用車椅子の構成及び使用時の第一〜第六状態を示す図である。実施例１の構成と同一の構成には、同一の符号を付して重複する説明を省略する。
本発明の実施例４の介護用椅子は、台板１１の両側部に嵌め込まれてそれぞれ立設された左右一対のサイドパネル２２（肘置き板）と、各サイドパネル２２の立設上面に固定された肘置き用の天板２２Ｔとを有し、各片側のサイドパネル２２（肘置き板）を側倒可能に支持すると共に、当該側倒可能とされたサイドパネル２２（肘置き板）を台板１１ないし後倒した背もたれ１２の間で前後スライド移動可能とする左右一対のスライド機構の側枠２３を備えた肘置きユニット２と、
下部に自在転動式のローラー３４を複数個備えて台板１１上部に配置される座板３１と、座板３１を、台板１１ないし後倒した背もたれ１２の間で前後スライド移動可能とすると共に、後倒した背もたれ１２ないし側倒したサイドパネル２２の間で左右スライド移動可能とするスライド機構と、座板３１の上面中央に嵌め込まれた円盤状の回転座面３３とを備えた座面ユニット３と、
からなる３つのユニットを具備した介護用車椅子となっている。肘置きユニット２は予め椅子台ユニット１の左右に嵌め込まれており、座面ユニット３は下部のローラー３４が接地するように台板１１上に載置される。
【００８３】
この実施例は、肘置きユニット２が左右に分かれてそれぞれ椅子台ユニット１の台板１１の側部にスライド移動可能に取り付けられた実施例であり、椅子台ユニット１の台板１１の上面に、多数のボール状の自在転動式のローラー３４を備えた座面ユニット３が載置して取り付けられる。
また、左右のサイドパネル２２は、嵌め板２１の板面に対して所定の開き角度まで外側方へ開いた開き状態（S2）となるものであり、前記いずれかのサイドパネル２２がこの開き状態（S2）となったときに、
座面ユニット３が、前記第二位置（P2）と、開き状態（S2）のサイドパネル２２上の第三位置（P3）との間を、側方へスライド移動可能となっている。
【００８４】
上記の構成とすることで、取付け構造がより簡易となると共に耐久性に優れたものとなる。また同一構造のまま容易に小型化できる介護用車椅子を提供することができる。
【００８５】
（椅子台ユニット１）
椅子台ユニット１は、矩形板からなると共に板中央を支点として水平に支持されて支点まわりに位相回転可能な台板１１と、台板１１の後辺に後倒可能に設けられた背もたれ１２と、台板１１を支持する走行可能な走行支持体４０を有する。
【００８６】
背もたれ１２は上端辺に沿って、背もたれ１２の板厚よりも厚い外突出部１２Ｔからなる天板が固定されており、外突出部１２Ｔ（天板）の後端部が背もたれ１２よりも後方へ突出する。背もたれ１２が後倒した開き状態（Ｓ２）ではこの外突出部１２Ｔ（天板）の後端部が背もたれ１２よりも先にベッドＢ等の上に接地する。但し、前記背もたれは、前記回転止め構造、走行ブレーキの両方が作動した状態でのみ開き状態となるよう、回転止め構造の解放状態、及びブレーキの解放状態において、ヒンジ連結部が回動しないように立設状態のままロックされている。
【００８７】
天板１２の左右それぞれの上部から操作レバー１２１Ｌ，１３２Ｌ付きのハンドル１３が突出して固定される。台板１１と背もたれ１２とは、背もたれ１２の下端のヒンジ１Ｈによって背もたれの角度が略９０度から略１８０度までの範囲の開き角度で可変する。また、片側の操作レバー１２１Ｌの操作によって任意の開き角度を維持する。背もたれ１２と台板１１は具体的には、凹形状部１１Ｕ及び凸形状部１２Ｕからなる凹凸組合せ構造１Ｕをヒンジ連結部として連結される（図７）。背もたれ１２の開き状態（S2）において、背もたれ１２の背もたれ面と、台板１１の板面とが、前記凹凸組合せ構造１Ｕにて連結された一平面を形成する（図７）。凹凸組合せ構造の凹形状部及び凸形状部の組合せ境界線１ＵＢは、台板１１の端から、台板１１全幅の２０〜２５％の範囲内の位置に設定される。
【００８８】
台板１１の前端辺には、台板よりも板厚さの厚い前板１１が固定されており、前板１１の後端面には緩衝材１１Ｇが固着される（図２）。この緩衝剤１１Ｇは、背もたれ１２が立設状態（Ｓ１）となった状態での肘置きユニット２の位置をそれ以上前方へ脱落しないように規制すると共に、座面ユニット３の位置をそれ以上前方へ脱落しないように規制する。
【００８９】
（肘置きユニット２）
肘置きユニット２は、背もたれ１２の両側部にヒンジ回動可能に固定された、跳ね上げ可能な左右一対の肘置き板２２Ｔと、肘置きユニットの左右のサイドパネル２２とで分離構成される。また肘置きユニットの嵌め板２１は、各片側のサイドパネル２２（肘置き板）をヒンジ２３Ｈによって外方へ側倒可能に支持する前後スライド機構を備えた、枠付きの左右それぞれの肘置き構造からなる。ヒンジ２３Ｈはサイドパネル２２（肘置き板）を外方側部へ側倒可能とする機構であり、前後スライド機構は、ヒンジ２３Ｈの内側であって台板１１の側部の凹部穴に沿ってはめ込まれた、先拡がり形状の凸部を先端に有する嵌め込み式のスライド構造からなる（図３）。なお、背もたれ１２の側部にも台板１１の側部と同様の凹部穴が形成されている。これにより、背もたれ１２が後方へ倒れて開き状態（Ｓ２）となったとき、スライド機構は台板１１の側部に沿って前後スライド移動可能となっていると共に、台板１１の後端よりも先側後方に伸長する、後倒した背もたれ１２の側部に沿って前後スライド移動可能となっている（図８）。
【００９０】
肘置きユニット２のサイドパネル２２の内面には、一対の嵌合凹片２６（図４においては２５と表示）が対向するように固定される。対向する一対の嵌合凹片２６によってサイドパネル２２の内面の前後方向中央位置には凹部空間が形成される（図４、図９、図１０）。
【００９１】
サイドパネル２２の天面及び中央部外面には、外方へ突出固定される細板状の側面外突出部２２Ｓ，２２Ｔが固着される。立設状態のサイドパネル２２の天面部に係止固定される側面外突出板２２Ｔは、２２Ｔの下面の突出片２２１によってサイドパネルの外面に接して組み合わされ、前方のレバー２２Ｌがサイドパネル２２の前部に形成されたフック２２Ｆに係止することで固定され、肘置き板としての役割を果たす。
【００９２】
左右のサイドパネル２２は、後部辺に沿って内側へ張出形成された棒状の後部張出板２７が固定されるとともに、この後部張出板２７の内側への突出前面には、座面ユニット３の突出ピン３２Ｐの取り付け位置に対応したピン孔２７Ｄが形成される（図１、図２）。かかるピン孔２７Ｄは突出ピン３２Ｐと共に、サイドパネル２２の立設状態を保持する立設のロック機構を構成する。
【００９３】
（座面ユニット３）
座面ユニット３は、下部に自在転動式のローラー３４を複数個備えて台板１１上部に配置される座板３１と、座板３１を、台板１１ないし後倒した背もたれ１２の間で前後スライド移動可能とすると共に、後倒した背もたれ１２ないし側倒したサイドパネル２２の間で左右スライド移動可能とするスライド機構と、座板３１の上面中央に回転自在に嵌め込まれた円盤状の回転座面３３とを備える。
【００９４】
また座面ユニット３は、座板１１の後端編の左右から立設した短柱の上端同士を左右に亘る第二背もたれ３２を備える。この第二背もたれ３２の両端後部それぞれには、サイドパネル２２の後部のピン穴に固定される突出ピン３２Ｐが突出形成される（図１、図２）。突出ピン３２Ｐをピン孔２７Ｄに突入固定することで、立設状態（Ｓ１）の肘置きユニット２と座面ユニット３とを相互に位置固定することができる。この突出ピン３２Ｐとピン孔２７Ｄとによって、サイドパネル２２を立設状態でロックする立設のロック機構を構成する。
【００９５】
座板３１の内部には、前方へ引き出し可能な引き出し板３７が収容される。引き出し板３７の前端は上部へ折曲したカギ片が形成されており、このカギ片を手掛かりとして引き出し板３７を前方へ引き出すことができる（図２）。使用時には、例えば、座面ユニット３を台板１１上の第一位置（Ｐ１）から背もたれ１２上の第二位置（Ｐ２）へ移動させた第四状態（図８）において、座板３１の前方から引き出し板３７を引き出す。また、座面ユニット３を背もたれ１２上の第二位置（Ｐ２）から側倒したサイドパネル２２上に移動させた第六状態（図１０）においても、座板３１の前方から引き出し板３７を引き出した状態を維持する。これにより、着座者の腰から上肢までを座板３１、回転座面３３、及び引き出し板３７上に配置させたまま、安定して座面ユニット３を移動させることができる。
【００９６】
座面ユニット３は座板１１の下部に、座板１１の幅方向に沿って伸びる、断面倒立Ｔ字状の嵌合凸片３６を備える。この嵌合凸片３６は、下方へ突出固定された短円柱状の首部の先に矩形板が固着されてなる。矩形板は周囲片部が先へ向かって薄くなるように形成されており、肘置きユニット２のサイドパネル２２の内面に対向形成された、一対の平型レール２５の凹部空間に対応した形状になっている。この嵌合凸片３６によって、第五状態（図３１）から第六状態（図３２）へ移行する際、サイドパネル２２の内面に形成された断面Ｌ字状の一対の平型レール２５の間に嵌合したまま、側方へ安定してスライド移動可能となっている。
【００９７】
また、座板１１の下部であって嵌合凸片３６の前後方向各々に、座面ユニット３を前後方向に移動させる転がり構造として、４行ずつ４列並んで構成された、全１６個のボールキャスター３４を備える。このボールキャスター３４の配置は、椅子台の台板１１と背もたれ１２のヒンジ連結部分である凹凸組み合わせ構造１Ｕの凹形状部と凸形状部それぞれの上部を走行できる位置に設定されており、また、嵌め板２１とサイドパネル２２のヒンジ連結部分である凹凸組み合わせ構造２Ｕの凹形状部と凸形状部それぞれの上部を走行できる位置に設定されている。
【００９８】
第三状態（図２９）から第四状態（図３０）へ移行する際、すなわち、座面ユニット３が、椅子台ユニット１の台板１１上の第一位置（P1）と、開き状態（S2）の背もたれ１２上の第二位置（P2）との間を、前後方向へスライド移動する際においては、前記転がり構造（３４，２４）が、凹凸組合せ構造の凹形状部及び凸形状部の組合せ境界線１ＵＢを跨ぐ複数の幅方向位置で、台板１１及び開き状態（S2）の背もたれ１２の上を転動して前記凹凸組み合わせ構造１Ｕの部分を亘る。具体的には、座面ユニット３の座板３１が、台板１１と背もたれ１２とからなる一平面上を、転がり構造である下部のボールキャスター３４の転動によって走行する。一方、ボールキャスター３４は座板３１の幅方向の両端近傍の２列および中央寄りの近接２列それぞれの合計４列の位置に転動可能に固定される。これらのボールキャスター３４の列の位置は、凹凸組合せ構造１Ｕの部分を転動する際、凹凸組合せ構造１Ｕの組合せ境界線１ＵＢ（凹形状部の凹状側部と凸形状部の凸状側部との境界線を言う。）を跨いで、凹形状部１１Ｕ及び凸形状部１２Ｕの両方の上部を必ず同時に転動するものとなっている。
【００９９】
また、第五状態（図３１）から第六状態（図３２）へ移行する際、すなわち、座面ユニット３が、椅子台ユニット１の開き状態（S2）の背もたれ１２上の第二位置（P2）と、開き状態（Ｓ２）のサイドパネル２２との間を、左右外方向へスライド移動する際においては、前記ボールキャスターたる転動体３４が、凹凸組合せ構造の凹形状部及び凸形状部の組合せ境界線２ＵＢを跨ぐ複数の幅方向位置で、開き状態（S2）の背もたれ１２及びサイドパネル２２の上を転動して前記凹凸組み合わせ構造２Ｕの部分を亘る。具体的には、座面ユニット３の座板３１が、背もたれ１２とサイドパネル２２とからなる一平面上を、転がり構造である下部のボールキャスター３４の転動によって走行する。一方、ボールキャスター３４は座板３１の幅方向の両端近傍の２列および中央寄りの近接２列それぞれの合計４列の位置に転動可能に固定される。これらのボールキャスター３４の列の位置又はローラーベアリング２４の幅方向の範囲は、凹凸組合せ構造２Ｕの部分を転動する際、凹凸組合せ構造２Ｕの組合せ境界線２ＵＢ（凹形状部の凹状側部と凸形状部の凸状側部との境界線を言う。）を跨いで、凹形状部２１Ｕ及び凸形状部２２Ｕの両方の上部を必ず同時に転動するものとなっている。
【０１００】
座面ユニット３の第二背もたれ３２の両端の各短柱の内側には、締結器３５Ａ，３５Ｂをそれぞれ先に備えた左右のベルト３５が取り付けられる。ベルト３５は着座者の着座位置の保持のため、第一状態（図２７）から第六状態（図３２）に至るまで締結器３５Ａ，３５Ｂ同士が締結されることが好ましい。
【０１０１】
座面ユニット３をサイドパネル２２上まで移動させた第六状態（図３２）においてベルトの締結器３５Ａ，３５Ｂの締結を解除した後は、着座者を乗せたままの回転座面３３を、座面中心の回転軸３３Ａ周りに略９０度回転させて、着座者の体の向きを背もたれ１２側へ転回する。転回した着座者がそのまま背を倒すことでベッドＢ上に横臥した姿勢となる。
【０１０２】
（使用時における第一〜第六状態）
（介護用車いす上の第一状態からベッドＢ上の第六状態とする場合の使用方法）
被介護者を着座状態からベッドＢ上へ移送する際は、背もたれ１２が後倒せず立設し、かつ座板３１の回転座面３３上に被介護者が着座した状態のまま、第一状態として図２７に示すように、ベッドＢの側部近傍に肘置き天板２２Ｔが並行に位置するように介護用車椅子を移動させたのち、第二状態として図２８に示すように、台板１１及びこれと一体回転する背もたれ１２を水平に略９０度位相回転することで、着座した被介護者（図示せず）をベッドＢのヘリまで背を向けて近づいた状態とする。
【０１０３】
続けて第三状態として図２９に示すように、背もたれ１２が、台板１１の板面に対して所定の開き角度まで後倒した開き状態（S2）とする。このとき、台板１１と背もたれ１２は一平面を構成し、凹凸組合せ構造１Ｕを構成する台板１１の凸形状部と凹形状部、ないし背もたれ１２の凸形状部がヒンジ連結部に平面状に露出する。
【０１０４】
背もたれ１２を第三状態の開き状態（S2）としたのち、第四状態として図３０に示すように、肘置きユニット２及び座面ユニット３を、椅子台ユニット１の台板１１上の第一位置（P1）と、開き状態（S2）の背もたれ１２上の第二位置（P2）との間を、後方へスライド移動させる。このとき、座面ユニット３の下面にて４列に設けられたボールキャスター３４が転動するところ、各列のボールキャスター３４は、凹凸組合せ構造１Ｕを構成する台板１１の凸形状部と凹形状部、ないし背もたれ１２の凸形状部それぞれの上を、２列ずつ順に転がって進むことで、４列全てが台板１１と背もたれ１２の境界の段差部に同時に嵌り落ちることがない。これにより、座面ユニット３は第一位置（Ｐ１）から第二位置（Ｐ２）へスムーズに移動させることができる。また第四状態として図３０に示すように、肘置きユニット２及び座面ユニット３が第二位置（Ｐ２）に移動した状態では、図示しない前後のロック機構によって、肘置きユニット２の前後方向の位置をロックすることが好ましい。
【０１０５】
続けて第五状態として図３１に示すように、前記前後のロック機構を解除すると共に、立設状態（Ｓ１）における突出ピン３２Ｐとピン孔２７Ｄとからなる立設のロック機構ロック機構（立設フック）を解除して、背もたれ１２上の第二位置（P2）にある肘置きユニット２のうち少なくとも左右いずれかのサイドパネル２２を、嵌め板２１の板面に対して略１８０度の所定の開き角度まで外側方へ開いた開き状態（S2）とする。サイドパネル２２は側面外突出部２２Ｓ（中央板）及び２２Ｔ（天板）が外面に突出固定されてなるところ、開き状態（Ｓ２）とすることで、側面外突出部が移送先のベッドＢ上に接地する。
【０１０６】
サイドパネル２２が、背もたれ１２の板面に対して所定の開き角度まで側倒した開き状態（S2）となったとき、背もたれ１２とサイドパネル２２は一平面を構成し、凹凸組合せ構造２Ｕを構成するサイドパネル２２の凸形状部と凹形状部、ないし背もたれ側部に嵌合した肘置きユニットの前後スライド機構の前後位置２箇所から側方へ突出した凸形状部が、ヒンジ２３Ｈの連結部に平面状に露出する。
【０１０７】
サイドパネル２２を第五状態の開き状態（S2）としたのち、第六状態として図３２に示すように、座面ユニット３のみを、開き状態（Ｓ２）の背もたれ１２上の第二位置（Ｐ２）から、開き状態（Ｓ２）のサイドパネル２２上の第三位置（Ｐ３）へ、側方スライド移動させる。このとき、嵌合凸片３６の首部の先に固着された矩形板が、サイドパネル２２の内面に形成された断面Ｌ字状の一対の平型レール２５の間の凹部空間内に嵌合したまま、側方へスライド移動する（図４）。またこのとき、座面ユニット３の下面にて４列に設けられたボールキャスター３４が転動するところ、各列のボールキャスター３４は、凹凸組合せ構造２Ｕを構成するサイドパネル２２の凸形状部と凹形状部、ないし前後スライド機構ないしヒンジ２３Ｈの前後２箇所の凸形状部それぞれの上を、２列ずつ順に転がって進むことで、４列全てが背もたれ１２側部の前後スライド機構とサイドパネル２２の境界の段差部に同時に嵌り落ちることがない。これにより、座面ユニット３は第一位置（Ｐ１）から第二位置（Ｐ２）へスムーズに移動させることができる。また第六状態として図３２に示すように、座面ユニット３が第三位置（Ｐ３）に移動した状態では、図示しない左右のロック機構によって、座面ユニット３の左右方向の位置をロックすることが好ましい。第六状態（図３２）では、着座者の腰部に締結していたベルト３５の締結器３５Ａ，３５Ｂの締結を解除して、回転座面３５を回転軸３５Ａ周りに回転させることで、着座者をベッドの長手方向を向くように転回させ、着座状態から横臥状態へ移行させる。その後、椅子台ユニット１のブレーキを解除して、サイドパネル２２及び背もたれ１２を開き状態（Ｓ２）としたまま、介護用車いすを移動させてベッドＢから離間させ、横臥状態の着座者の腰の下からサイドパネル２２及び背もたれ１２を抜き出す。
【０１０８】
上記第一状態から第六状態へ順に移行するに伴い、座面ユニット３を後方へスライド移動させた後に一側方へスライド移動させ、さらに着座者の体の向きを転回させることで、椅子上に着座していた着座者（被介護者）をベッドＢ上の任意の位置へ容易に移動させ、任意の向きに横臥させることができる。
【０１０９】
（その他の実施例）
本考案のいくつかの実施例を説明したが、各実施例に示した構成、各種条件に限定されることはなく、これらの実施例は、例として提示したものであり、考案の範囲を限定することは意図していない。例として、肘置きのはねあげ、オレンジと青の色の切り替えを施してもよい。これら新規な実施例は、その他の様々な形態で実施されることが可能であり、考案の要旨を逸脱しない範囲で、種々の省略、置き換え、変更を行うことができる。これら実施例やその変形は、考案の範囲や要旨に含まれるとともに、特許請求の範囲に記載された考案とその均等の範囲に含まれる。
【符号の説明】
【０１１０】
１  椅子台ユニット
１１  台板
１１Ｆ  前板
１２  背もたれ
１２Ｌ  レバー
１２Ｔ  背面外突出部
１３  ハンドル
１３１Ｌ  ブレーキレバー
１３２Ｌ  背もたれ回動レバー
１４Ｆ，１４Ｒ  走行車輪
１５  ロックブレーキ
１５Ｌ  ブレーキレバー
１５Ｋ  ブレーキシュー
３７  突出板
１Ｈ  ヒンジ
１Ｊ  シリンダー
２  肘置きユニット
２１  嵌め板
２２  側板
２２Ｓ  側面外突出部（中央板）
２２Ｔ  側面外突出部（天板）
２２Ｌ  立設フック
２３  側枠
２３Ｌ  囲いピン
２４、３４  ベアリングローラー
２５  平型レール
２５０  嵌合穴
２６  Ｌ型レール
２７  第二背もたれ
２８、２８Ｉ  スライドシート
３  座面ユニット
３１座板
３２  第二背もたれ
３３  回転座面
３３Ａ  ピン軸
３４  ベアリングローラー／ボールキャスター
３５  ベルト
３５Ａ，３５Ｂ  締結器
３６嵌合凸片
３７引き出し板
４０  走行支持体
４１  昇降シリンダ
４２  昇降レバー
４Ｆ  支持フレーム
４Ｐ  支持プレート
５１  凸部嵌合体（回転止め構造）
５２  凹部嵌合体（回転止め構造）
５２Ｇ  嵌合シュー
Ｂ  ベッド（移乗先体）
（S1）立設状態
（S2）開き状態
第一位置（P1）
第二位置（P2）
第三位置（P3）
【図１】
0003219055.tif 000003
【図２】
0003219055.tif 000004
【図３】
0003219055.tif 000005
【図４】
0003219055.tif 000006
【図５】
0003219055.tif 000007
【図６】
0003219055.tif 000008
【図７】
0003219055.tif 000009
【図８】
0003219055.tif 000010
【図９】
0003219055.tif 000011
【図１０】
0003219055.tif 000012
【図１１】
0003219055.tif 000013
【図１２】
0003219055.tif 000014
【図１３】
0003219055.tif 000015
【図１４】
0003219055.tif 000016
【図１５】
0003219055.tif 000017
【図１６】
0003219055.tif 000018
【図１７】
0003219055.tif 000019
【図１８】
0003219055.tif 000020
【図１９】
0003219055.tif 000021
【図２０】
0003219055.tif 000022
【図２１】
0003219055.tif 000023
【図２２】
0003219055.tif 000024
【図２３】
0003219055.tif 000025
【図２４】
0003219055.tif 000026
【図２５】
0003219055.tif 000027
【図２６】
0003219055.tif 000028
【図２７】
0003219055.tif 000029
【図２８】
0003219055.tif 000030
【図２９】
0003219055.tif 000031
【図３０】
0003219055.tif 000032
【図３１】
0003219055.tif 000033
【図３２】
0003219055.tif 000034
【手続補正書】
【提出日】平成30年6月25日(2018.6.25)
【手続補正１】
【補正対象書類名】実用新案登録請求の範囲
【補正対象項目名】全文
【補正方法】変更
【補正の内容】
【実用新案登録請求の範囲】
【請求項１】
略水平に位相回転可能に支持された台板と、台板の後辺に立設しかつ後倒可能に設けられた背もたれと、台板を支持する走行可能な走行支持体を有する移動式の椅子台ユニットと、
台板の板面上部に嵌め込まれると共に、台板及び後倒させた背もたれの前後方向にスライド移動可能な嵌め板と、嵌め板の後辺又は側辺に立設しかつ外方へ回倒可能に設けられた回倒板とを具備した座面ユニットと、を具備してなる介護用車椅子であって、
座面ユニットの嵌め板は、椅子台ユニットの台板、及び、台板の板面と略水平になるまで後倒した開き状態の背もたれ、及び、開き状態の背もたれの上面と略平行になるまで外方へ回倒した回倒板、のそれぞれと嵌合する嵌合凸片を有し、
前記嵌合凸片は、座面ユニットの嵌め板が、椅子台ユニットの台板上の第一位置と、開き状態の背もたれ上の第二位置との間を、前後方向へスライド移動するのに合わせて、椅子台ユニットの台板上と、開き状態の背もたれ上との間を、前後方向へ嵌合しながら移動する構造であり、
また、座面ユニットが第二位置にスライド移動したときに、
嵌め板の上面の着座部が、嵌め板ないし後倒した背もたれの上面と平行な面内で回転する回転座面からなり、かつ、
嵌め板の後辺又は側辺に立設した回倒板は、内面が開き状態の後倒した背もたれの上面と略平行になるまで外方へ回倒可能に取り付けられることを特徴とする、介護用車椅子。
【請求項２】
略水平に位相回転可能に支持された台板と、台板の後辺に立設しかつ後倒可能に設けられた背もたれと、台板を支持する走行可能な走行支持体を有する移動式の椅子台ユニットと、
台板の板面上部に嵌め込まれると共に、台板及び後倒させた背もたれの前後方向にスライド移動可能な嵌め板と、嵌め板の後辺に立設しかつ後倒可能に設けられた第二背もたれとを具備した座面ユニットと、を具備した介護用車椅子であって、
座面ユニットの嵌め板は、椅子台ユニットの台板、及び、台板の板面に対して所定の開き角度まで後倒した開き状態の背もたれ、のそれぞれと嵌合する嵌合凸片を有し、
前記嵌合凸片は、
座面ユニットの嵌め板が、椅子台ユニットの台板上の第一位置と、開き状態の背もたれ上の第二位置との間を、前後方向へスライド移動するのに合わせて、
椅子台ユニットの台板と、開き状態の背もたれとの間を、前後方向へ嵌合しながら移動する構造であり、
また、
前記嵌合凸片は、嵌め板の下部中央に突設形成された柱状の首部を有し、
座面ユニットの嵌め板が第二位置にあるときに、嵌合凸片の首部が、開き状態の背もたれに嵌め込まれたまま水平面内で軸回転する構造であり、
嵌合凸片の首部の軸回転と共に、座面ユニットの嵌め板が、開き状態の背もたれに嵌め込まれたまま水平面内で軸回転する構造であることを特徴とする、介護用車椅子。
【請求項３】
略水平に位相回転可能に支持された台板と、台板の後辺に後倒可能に設けられた背もたれと、台板を支持する走行可能な走行支持体を有する移動式の椅子台ユニットと、
台板の板面上部に嵌め込まれると共に台板及び後倒させた背もたれの前後方向にスライド移動可能な嵌め板と、嵌め板の側辺に立設して外側方へ回倒可能なサイドパネルとを具備した座面ユニットと、
背もたれの両側部それぞれから前方へ伸長し、前記立設したサイドパネルに係止すると共に上方へ跳ね上げ可能に設けられた左右一対の肘置きと、
を具備した介護用車椅子であって、
前記肘置きは、前方へ伸長した状態と、上方へ跳ね上げられた状態のいずれかに遷移させる跳ね上げ構造を有すると共に、
立設状態のサイドパネルは、前記前方へ伸長した状態の肘置きに係止固定される突出板を有する、請求項２に記載の介護用車椅子。
【請求項４】
嵌め板はその下部の中央部に柱状の首部を有した第一嵌合凸片が突設形成され、
椅子台ユニットの台板及び背もたれには、前記第一嵌合凸片の首部が嵌合すると共に首部をスライド移動可能とする嵌合溝が前後方向へ伸長して形成され、
背もたれが後倒した状態で、前記台板及び背もたれの嵌合溝は直線状に連なり、
当該嵌合溝内を第一嵌合凸片が嵌合したまま前後方向へ移動可能であると共に、
後倒した背もたれの嵌合溝の後端付近で第一嵌合凸片が係止してそれ以上の後方移動が規制され、この規制された位置で嵌合凸片の首部が嵌合溝内で軸回転可能であり、この軸回転に伴って嵌め板が平面回転する、請求項１記載の介護用車椅子。
【請求項５】
嵌め板はその下部に、前記第一嵌合凸片の首部よりも細い柱状の首部を有した第二嵌合凸片が突設形成され、
椅子台ユニットの台板及び背もたれには、前記第一嵌合凸片及び第二嵌合凸片の各首部が嵌合すると共に各首部をスライド移動可能とする嵌合溝が前後方向へ伸長して形成され、
背もたれが後倒した状態で、前記台板及び背もたれの嵌合溝は直線状に連なると共に、背もたれには、当該直線状の嵌合溝と交差した円弧状の第二嵌合溝が形成されてなり、
第二嵌合凸片は、当該直線状の嵌合溝内を嵌合したまま直線状の嵌合溝の後端まで移動可能であると共に、第二嵌合溝内に沿って円弧方向へ移動可能であり、
第一嵌合凸片が背もたれの直線状の嵌合溝内で軸回転すると共に、第二嵌合凸片が後倒した背もたれの第二嵌合溝内を移動することで、嵌合凸片の首部が回転可能であり、
この第一嵌合凸片の軸回転と第二嵌合凸片の第二嵌合溝内の移動に伴って嵌め板が平面回転する、請求項４記載の介護用車椅子。
【請求項６】
嵌め板はその下部に、自由転動可能な転動体３４が、嵌合凸片よりも低い高さで突出して、第一嵌合凸片を中心とした放射状の複数個所に配設され、
嵌め板が後倒した背もたれの方向へ前後移動し或いは移動先で回転する際に、前記各転動体のうち複数個が、椅子台ユニット又は後倒した背もたれの上面で転動する、請求項１、２、３のいずれかに記載の介護用車椅子。
【請求項７】
第二背もたれには両側部に枠部が形成されると共に、枠部内に、後倒した第二背もたれの後倒方向へ転動可能な転動凸体、又は、前記後倒方向へスライド移動可能なスライドシートが収容される、請求項２に記載の介護用車椅子。
【請求項８】
嵌め板はその前辺に延長板が回動可能に延長形成されると共に、嵌め板又は延長板の裏面又は側面に水平保持構造が形成され、
延長板が嵌め板の上面に沿う水平位置まで水平回動した状態で、水平保持構造を延長板と嵌め板とを跨ぐ位置まで移動させることで、前記水平回動した状態を保持する、
請求項１〜４のいずれかに記載の介護用車椅子。
【手続補正書】
【提出日】平成30年10月1日(2018.10.1)
【手続補正１】
【補正対象書類名】実用新案登録請求の範囲
【補正対象項目名】全文
【補正方法】変更
【補正の内容】
【実用新案登録請求の範囲】
【請求項１】
略水平に位相回転可能に支持された台板と、台板の後辺に立設しかつ後倒可能に設けられた背もたれと、台板を支持する走行可能な走行支持体を有する移動式の椅子台ユニットと、
台板の板面上部に嵌め込まれると共に、台板及び後倒させた背もたれの前後方向にスライド移動可能な嵌め板と、嵌め板の後辺又は側辺に立設しかつ外方へ回倒可能に設けられた回倒板とを具備した座面ユニットと、を具備してなる介護用車椅子であって、
座面ユニットの嵌め板は、椅子台ユニットの台板、及び、台板の板面と略水平になるまで後倒した開き状態の背もたれ、及び、開き状態の背もたれの上面と略平行になるまで外方へ回倒した回倒板、のそれぞれと嵌合する嵌合凸片を有し、
前記嵌合凸片は、座面ユニットの嵌め板が、椅子台ユニットの台板上の第一位置と、開き状態の背もたれ上の第二位置との間を、前後方向へスライド移動するのに合わせて、椅子台ユニットの台板上と、開き状態の背もたれ上との間を、前後方向へ嵌合しながら移動する構造であり、
また、座面ユニットが第二位置にスライド移動したときに、
嵌め板の上面の着座部が、嵌め板ないし後倒した背もたれの上面と平行な面内で回転する回転座面からなり、かつ、
嵌め板の後辺又は側辺に立設した回倒板は、内面が開き状態の後倒した背もたれの上面と略平行になるまで外方へ回倒可能に取り付けられることを特徴とする、介護用車椅子。
【請求項２】
略水平に位相回転可能に支持された台板と、台板の後辺に立設しかつ後倒可能に設けられた背もたれと、台板を支持する走行可能な走行支持体を有する移動式の椅子台ユニットと、
台板の板面上部に嵌め込まれると共に、台板及び後倒させた背もたれの前後方向にスライド移動可能な嵌め板と、嵌め板の後辺に立設しかつ後倒可能に設けられた第二背もたれとを具備した座面ユニットと、を具備した介護用車椅子であって、
座面ユニットの嵌め板は、椅子台ユニットの台板、及び、台板の板面に対して所定の開き角度まで後倒した開き状態の背もたれ、のそれぞれと嵌合する嵌合凸片を有し、
前記嵌合凸片は、
座面ユニットの嵌め板が、椅子台ユニットの台板上の第一位置と、開き状態の背もたれ上の第二位置との間を、前後方向へスライド移動するのに合わせて、
椅子台ユニットの台板と、開き状態の背もたれとの間を、前後方向へ嵌合しながら移動する構造であり、
また、
前記嵌合凸片は、嵌め板の下部中央に突設形成された柱状の首部を有し、
座面ユニットの嵌め板が第二位置にあるときに、嵌合凸片の首部が、開き状態の背もたれに嵌め込まれたまま水平面内で軸回転する構造であり、
嵌合凸片の首部の軸回転と共に、座面ユニットの嵌め板が、開き状態の背もたれに嵌め込まれたまま水平面内で軸回転する構造であることを特徴とする、介護用車椅子。
【請求項３】
略水平に位相回転可能に支持された台板と、台板の後辺に後倒可能に設けられた背もたれと、台板を支持する走行可能な走行支持体を有する移動式の椅子台ユニットと、
台板の板面上部に嵌め込まれると共に台板及び後倒させた背もたれの前後方向にスライド移動可能な嵌め板と、嵌め板の側辺に立設して外側方へ回倒可能なサイドパネルとを具備した座面ユニットと、
背もたれの両側部それぞれから前方へ伸長し、前記立設したサイドパネルに係止すると共に上方へ跳ね上げ可能に設けられた左右一対の肘置きと、
を具備した介護用車椅子であって、
前記肘置きは、前方へ伸長した状態と、上方へ跳ね上げられた状態のいずれかに遷移させる跳ね上げ構造を有すると共に、
立設状態のサイドパネルは、前記前方へ伸長した状態の肘置きに係止固定される突出板を有する、請求項２に記載の介護用車椅子。
【請求項４】
嵌め板はその下部の中央部に柱状の首部を有した第一嵌合凸片が突設形成され、
椅子台ユニットの台板及び背もたれには、前記第一嵌合凸片の首部が嵌合すると共に首部をスライド移動可能とする嵌合溝が前後方向へ伸長して形成され、
背もたれが後倒した状態で、前記台板及び背もたれの嵌合溝は直線状に連なり、
当該嵌合溝内を第一嵌合凸片が嵌合したまま前後方向へ移動可能であると共に、
後倒した背もたれの嵌合溝の後端付近で第一嵌合凸片が係止してそれ以上の後方移動が規制され、この規制された位置で嵌合凸片の首部が嵌合溝内で軸回転可能であり、この軸回転に伴って嵌め板が平面回転する、請求項１記載の介護用車椅子。
【請求項５】
嵌め板はその下部に、前記第一嵌合凸片の首部よりも細い柱状の首部を有した第二嵌合凸片が突設形成され、
椅子台ユニットの台板及び背もたれには、前記第一嵌合凸片及び第二嵌合凸片の各首部が嵌合すると共に各首部をスライド移動可能とする嵌合溝が前後方向へ伸長して形成され、
背もたれが後倒した状態で、前記台板及び背もたれの嵌合溝は直線状に連なると共に、背もたれには、当該直線状の嵌合溝と交差した円弧状の第二嵌合溝が形成されてなり、
第二嵌合凸片は、当該直線状の嵌合溝内を嵌合したまま直線状の嵌合溝の後端まで移動可能であると共に、第二嵌合溝内に沿って円弧方向へ移動可能であり、
第一嵌合凸片が背もたれの直線状の嵌合溝内で軸回転すると共に、第二嵌合凸片が後倒した背もたれの第二嵌合溝内を移動することで、嵌合凸片の首部が回転可能であり、
この第一嵌合凸片の軸回転と第二嵌合凸片の第二嵌合溝内の移動に伴って嵌め板が平面回転する、請求項４記載の介護用車椅子。
【請求項６】
嵌め板はその下部に、自由転動可能な転動体が、嵌合凸片よりも低い高さで突出して、第一嵌合凸片を中心とした放射状の複数個所に配設され、
嵌め板が後倒した背もたれの方向へ前後移動し或いは移動先で回転する際に、前記各転動体のうち複数個が、椅子台ユニット又は後倒した背もたれの上面で転動する、請求項４又は５のいずれかに記載の介護用車椅子。
【請求項７】
第二背もたれには両側部に枠部が形成されると共に、枠部内に、後倒した第二背もたれの後倒方向へ転動可能な転動凸体、又は、前記後倒方向へスライド移動可能なスライドシートが収容される、請求項２に記載の介護用車椅子。
【請求項８】
嵌め板はその前辺に延長板が回動可能に延長形成されると共に、嵌め板又は延長板の裏面又は側面に水平保持構造が形成され、
延長板が嵌め板の上面に沿う水平位置まで水平回動した状態で、水平保持構造を延長板と嵌め板とを跨ぐ位置まで移動させることで、前記水平回動した状態を保持する、
請求項１〜４のいずれかに記載の介護用車椅子。